(57)【特許請求の範囲】
【請求項１】
建築物の外壁に、その外周を保水性材料で構成した導入管を配設し、該導入管の外周の保水性材料に適宜散水すると共に室内からの排気を導入管の外周の保水性材料へ吹き当てることにより、導入管の内部を通過する外気の温度を調整して室内に取り入れるようにしたことを特徴とする換気方法。
【請求項２】
保水性材料は粒径２.５mm以下の骨材で構成された多孔質コンクリート、或いは吸水性骨材で構成された多孔質コンクリートであることを特徴とする請求項１に記載の換気方法。
【請求項３】
外周を保水性材料で構成した導入管と、外気を取り入れて導入管を通じて室内に取り入れる空気導入機構と、導入管の外周の保水性材料に散水する散水機構と、室内からの排気を導入管の外周の保水性材料へ吹き当てる空気排出機構と、を備えることを特徴とする換気装置。
【発明の詳細な説明】
【０００１】
【発明の属する技術分野】
本発明は、各種建築物に適用でき、経済的に優れ、耐用年数が長い換気方法及び換気装置に関する。
【０００２】
【従来の技術】
近年、建築物の密閉性は極めて高いレベルにあり、特に多数の人間が就労或いは居住する建築物においては収容人員に対して必要酸素（外気）を確保（導入）するための換気設備が必要であり、該換気設備により一般的に一人当たり２０〜３０m2の外気が取り入れられている。また、室内温度を快適な就労或いは居住空間とするためには、取り入れられた外気を室内温度まで冷却或いは加温するための空調設備が必要であり、特に外気が高温となる夏季等や逆に低温となる冬季等には大きなエネルギーが必要になる。
そこで、省エネルギー手法として、全熱交換器を使用し、室内から排気される空気と導入された外気との間で熱交換させることにより、外気負荷を軽減する方法が採られている。全熱交換としては、回転型と静止型とがあり、回転型全熱交換器は、吸湿性を持たせたローターの回転により排気から導入外気に熱回収する蓄熱式熱交換器であり、円形ローターの約半分に排気が通過する時、この排気の熱（温度、湿度）でローター部分が蓄熱、蓄湿され、ローターが回転することによって蓄熱、蓄湿されたローター部分が、導入外気側流路に入り、導入空気によってこの蓄熱、蓄湿分が放出される。また、静止型全熱交換器は、特殊加工紙の仕切板と間隔板とが直交状に積層された直交流形プレートフィン式であって、排気空気と外気とが直交流形プレートフィン式を通過する際に温度（顕熱）と湿度（潜熱）の交換が行われるものである。
【０００３】
【発明が解決しようとする課題】
しかしながら、前記従来の全熱交換器は、前述の熱交換システムを有する本体設備が高価であり、またある程度大型でなければ所定の換気流量及び十分な熱交換が得られないものであった。さらに、回転型全熱交換器においては、円形ローターを回転するための稼働電力を必要とするため、ランニングコストがかかるという問題もあった。また、このような全熱交換器の建築物への設置においては、外気の取り入れ部と排気部は距離を離して設置しないとショートサーキットを起こすため、建築的に工夫とスペースが必要になり、コストが高くなっていた。
【０００４】
【課題を解決するための手段】
本発明は上記に鑑み提案されたもので、建築物の外壁に、その外周を保水性材料で構成した導入管を配設し、該導入管の外周の保水性材料に適宜散水すると共に室内からの排気を導入管の外周の保水性材料へ吹き当てることにより、導入管の内部を通過する外気の温度を調整して室内に取り入れるようにしたことを特徴とする換気方法に関するものである。
【０００５】
また、本発明は、前記換気方法を実施する換気装置をも提案するものであり、外周を保水性材料で構成した導入管と、外気を取り入れて導入管を通じて室内に取り入れる空気導入機構と、導入管の外周の保水性材料に連続的に或いは間欠的に散水する散水機構と、室内からの排気を導入管の外周の保水性材料へ吹き当てる空気排出機構と、を備えることを特徴とする。
【０００６】
【発明の実施の形態】
本発明に使用する保水性材料は、有機系でも無機系でも良く、有機系としては樹脂発泡成形体などを用いれば良く、無機系としては多孔質コンクリートなどを用いることができる。特にこの無機系の保水性材料としては、粒径２.５mm以下の小径な骨材で構成された多孔質コンクリート、或いは吸水性骨材で構成された多孔質コンクリート、或いは粒径２.５mm以下の小径な吸水性骨材で構成された多孔質コンクリートを用いることが好ましい。尚、粒径２.５mmより大きい骨材で構成した多孔質コンクリートは保水性が乏しい。
【０００７】
そして、本発明における導入管は、各種管材（パイプ材）の外周面に前記保水性材料を被覆した態様でも良いし、剛性を有する保水性材料により導入管自体を成形した態様でも良い。
前者の態様に使用する管材（パイプ材）としては、伝熱性に優れた素材が好ましく、さらに耐水性に優れた素材或いは高耐水性を付与する表面処理を行った素材を用いることが好ましい。
【０００８】
前記構成の導入管に適宜に散水すると、導入管の外周の保水性材料が水分を保水し、その水分が蒸発（気化）する際の蒸発潜熱により導入管を冷却する。導入管に連結されたダクト等もそれにより冷却される。
【０００９】
室内からの排気を導入管の外周の保水性材料へ吹き当てるようにすると、水分の蒸発（気化）を促進し、前述のような冷却作用を促進することができる。
【００１０】
また、導入外気を効率よく冷却するため、冷却された導入管とその内部を通過する導入外気との接触面積を大きくする。その手段としては、建築物の外壁に沿わせながら導入管を適宜に屈曲させたり長くしたり、或いは導入管内部やダクト内部にフィンを設けたり、或いは適宜間隔で仕切板を配設して導入外気の流れを蛇行させるようにしても良い。
【００１１】
このように、外気温度が高い夏季等においては、冷却された導入管内を外気が通過することにより、外気を冷却して室内に取り入れることができる。
【００１２】
上述の作用を継続させるには、適宜に散水するか、所定間隔で間欠的に散水する散水機構を配備すれば良く、保水された水分が消失するまでは上述の作用が継続されるので、連続的に散水する必要がなく、また散水する間隔は頻繁でなくても良い。散水する水は雨水を貯留したものでも良く、エアコン等の排水等でも良い。基本的には蒸発潜熱（気化熱）を用いるので、特にその温度を規定するものではない。
これに対し、導入管の外周に単なる多孔質コンクリートを用いた場合には、散水しても透水して濡れる程度であるため、散水した直後には上述の作用を多少は期待できるが、その作用を継続させるためには連続的に散水するか、或いは頻繁に散水する必要があり、そのための散水機構のランニングコストがかかる。
【００１３】
また、外気温度が低い冬季等においては、導入管を庇の直下に設けることが有効であり、夏季などには太陽高度が高いため導入管への陽射しを庇が遮断し、冬季などには太陽高度が低いため導入管へ陽射しが浴びせられるので、導入管を加温し、その内部に導入された外気を暖めることができる。
【００１４】
本発明の換気方法は、建築物の外壁に応じて、適宜長さ及び形状の導入管を配設し、該導入管を熱交換の場として利用するものであり、どのような建築物においても適用でき、安価に且つ効率よく熱交換させることができる。
【００１５】
【実施例】
建築物の外壁に、導入管１としてφ６００mmで３mの長さのステンレスパイプの外周に３号硅砂を骨材として用いた多孔質コンクリートを被覆して配し、図１〜３に示す換気装置を設置した。
図１の平面図及び図２の側断面図では空気の流れを矢印で示した。また、導入管１の詳しい構造及び散水装置２については図３に拡大図を示した。
図１，２の左側に示す外気取り入れ口３から取り入れられた外気が導入管１の左端から導入される。この導入管１には散水装置２から適宜間隔で散水（散水稼働条件については後述する）が施されると共に排気口４から排気が吹き当てられるので、導入管１の表面に保水された水分が蒸発（気化）して導入管１を冷却し、導入管１を通過する外気を冷却することができる。また、導入管１の内部には適宜間隔で仕切板１０が設けられたので、空気は導入管１内を蛇行して流れ、導入管１の壁面との接触面積が大きいものとなる。
尚、図３における符号５は送風機、６は外気を測定する温湿度計、７は導入管１内の送風機側を測定する温湿度計、８は導入管１内の排出側を測定する温湿度計、９は風速計（センサー）である。
その結果、外気温度３４℃の時、即ち外気取り入れ口では３４℃の外気を、導入管の末端部では３２〜３３℃にすることができ、１〜２℃の冷却効果を得ることができた。
【００１６】
前記換気装置による冷却と全熱交換器とのランニングコストを比較する。
0003969705.tif 000002
したがって、本発明の換気装置の方が省エネルギーである。
【００１７】
本発明は、実施例に限定されるものではなく、前記特許請求の範囲を変更しない限りどのように実施することもできる。
【００１８】
【発明の効果】
以上説明したように、本発明の換気方法及び換気装置は、各種建築物に容易に適用でき、経済的に優れ、耐用年数が長いものである。例えば従来の全熱交換器に比べて設備施工費が安価であり、ランニングコストも抑えることができる。
【図面の簡単な説明】
【図１】本発明の換気装置の一実施例を示す平面図である。
【図２】図１の換気装置の側断面図である。
【図３】（ａ）図１の換気装置の要部の拡大斜視図、（ｂ）Ｂ−Ｂ線における断面図、（ｃ）Ｃ−Ｃ線における断面図である。
【符号の説明】
１  導入管
２  散水装置
３  外気取り入れ口
４  排気口
５  送風機
６  外気を測定する温湿度計
７  導入管内の送風機側を測定する温湿度計
８  導入管内の排出側を測定する温湿度計
９  風速計（センサー）
【図１】
0003969705.tif 000003
【図２】
0003969705.tif 000004
【図３】
0003969705.tif 000005